【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、
左右両側枠間を結ぶ床を凹陥させ上部開口に蓋板を有する収納部を形成し、この収納部には、長手方向に沿って防水扉と収納部とに対応して形成されこれら防水扉と収納部とに密着可能に当接する水密手段を変位自在に設け、防水扉の水密を確保する際、蓋を開けて水密手段を変位させて防水扉を閉じ、水密手段の長手方向に沿って設けられた一方のシール部を防水扉の下部に、水密手段の一方のシール部と部位を異ならせ長手方向に沿って設けられた他方のシール部を収納部にそれぞれ圧接させ、防水扉と収納部との間の水密を保持するよう構成したことを特徴とする防水扉の水密構造。
【請求項２】
水密手段を、収納部に揺動可能に取り付けられ、起立時上端が防水扉の下端より上方に位置する戸当たり板を備えて構成し、戸当たり板の防水扉と向き合う面には、起立時防水扉の下部に当接する一方のシール部を、戸当たり板の異なる部位には、起立時収納部の内面に当接する他方のシール部をそれぞれ設けたことを特徴とする請求項１に記載の防水扉の水密構造。
【請求項３】
収納部左右方向両端には、内外側にそれぞれ側壁を有し床に形成された側溝に接続されるとともに、起立した戸当たり板との干渉を避けて内側壁の前後方向起立側が欠截された側溝受け部が形成され、
側溝受け部には、上面に床の側溝と連通する溝部が形成され、側溝受け部を閉塞して収納部への漏水を阻止する側溝受けカバーを取り外し自在に設け、
戸当たり板を二重板構造の揺動板体により構成し、この揺動板体を両端が側溝受け部との干渉を避けて後退して形成されるとともに、前後の板の左右方向長さ寸法を異ならせ立ち上がり方向側の後板を長寸に、横倒し方向側の前板を短寸に形成し、起立時、揺動板体と側溝受け部とに差し入れられ、揺動板体の各シール部と連続するシール部を有する第１の差し入れ板を備えて構成されることを特徴とする請求項２に記載の防水扉の水密構造。
【請求項４】
防水扉には、閉塞位置で扉を戸当たり板と各枠側に押圧してロックするロック装置を設けたことを特徴とする請求項２または３に記載の防水扉の水密構造。
【請求項５】
収納部には、ロック装置の一部が設けられ、
戸当たり板は、収納部に設けられたロック装置の一部に臨む揺動板体の上側の部位に、横倒し時、ロック装置の一部との干渉を避ける切り欠き部が形成されるとともに、前後の板の切り欠き面の大きさを異ならせ後板の切り欠き面より前板の切り欠き面を拡大させて形成し、起立時、揺動板体の切り欠き部に差し入れられ、差し入れ時、揺動板体の一方のシール部と連続するシール部を有する第２の差し入れ板を備えて構成されることを特徴とする請求項４に記載の防水扉の水密構造。
【請求項６】
構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、
左右両側枠間を結ぶ床を凹陥させ上部開口に蓋板を有する収納部を形成し、この収納部には、長手方向に沿って防水扉に対応して形成された溝を形成するとともに、
一面と他面とにそれぞれ長手方向に沿って配置されたシール部材を有する差し込み板を前記溝に出し入れ可能に設け、
防水扉の水密を確保する際、蓋板を開いて差し込み板下部を前記溝に嵌め入れて防水扉を閉じ、一方のシール部材を防水扉に、他方のシール部材を収納部の内面にそれぞれ圧接させるよう構成したことを特徴とする防水扉の水密構造。
【手続補正２】
【補正対象書類名】明細書
【補正対象項目名】０００７
【補正方法】変更
【補正の内容】
【０００７】
本発明の請求項１に係る防水扉の水密構造では、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、長手方向に沿って防水扉と収納部とに対応して形成されこれら防水扉と収納部とに密着可能に当接する水密手段を変位自在に設け、防水扉の水密を確保する際、蓋を開けて水密手段を変位させて防水扉を閉じ、水密手段の長手方向に沿って設けられた一方のシール部を防水扉の下部に、水密手段の一方のシール部と部位を異ならせ長手方向に沿って設けられた他方のシール部を収納部にそれぞれ圧接させ、防水扉と収納部との間の水密を保持するよう構成したことにより、防水扉を閉じて水密を確保する際には、蓋板を開け水密手段を変位させて防水扉を閉じると、一方のシール部が防水扉の下部に、他方のシール部が収納部にそれぞれ圧接され、防水扉と収納部との間の水密が保持される。
【手続補正３】
【補正対象書類名】明細書
【補正対象項目名】０００８
【補正方法】変更
【補正の内容】
【０００８】
本発明の請求項２に係る防水扉の水密構造は、水密手段を、収納部に揺動可能に取り付けられ、起立時上端が防水扉の下端より上方に位置する戸当たり板を備えて構成し、戸当たり板の防水扉と向き合う面には、起立時防水扉の下部に当接する一方のシール部を、戸当たり板の異なる部位には、起立時収納部の内面に当接する他方のシール部をそれぞれ設けたことを特徴とするものである。
【手続補正４】
【補正対象書類名】明細書
【補正対象項目名】００１６
【補正方法】変更
【補正の内容】
【００１６】
【図１】図１は本発明の第１の実施例に係る防水扉の水密構造を示す一部破断平面図で、防水扉が開いた状態を示す図である。（実施例１）
【図２】図２は図１の防水扉が閉じた状態を示す平面図である。
【図３】図３は図１の防水扉が閉じた状態を示す一部破断正面図である。
【図４】図４は図３のＩＶ−ＩＶ線断面図である。
【図５】図５は図１の防水扉が閉じられた際の要部の断面図である。
【図６】図６は図５の起立状態の戸当たり板を上方から見た説明図である。
【図７】図７は図５の起立状態の戸当たり板を収納部に横倒しする際の説明図である。
【図８】図８の（Ａ）ないし（Ｄ）はそれぞれ、防水扉の水密構造の要部の斜視図を示す説明図である。
【図９】図９の（Ａ）ないし（Ｃ）はそれぞれ、戸当たり板が収納部に収納された状態を示す収納部の要部平面図、戸当たり板が起立した状態を示す収納部の要部平面図および戸当たり板が起立した状態を示す収納部の一部破断正面図である。
【図１０】図１０の（Ａ）、（Ｂ）はそれぞれ、起立状態の戸当たり板に第２の差し入れ板を差し込んだ状態を示す要部の平面図および側面図、図１０の（Ｃ）、（Ｄ）はそれぞれ、 第２の差し入れ板を収納部に収納した状態を示す説明図および起立状態の戸当たり板に差し込んだ状態を示す断面図である。
【図１１】図１１の（Ａ）、（Ｂ）はそれぞれ、起立状態の戸当たり板に第１の差し入れ板を差し込んだ状態を示す要部の平面図および側面図、図１１の（Ｃ）、（Ｄ）はそれぞれ、 第１の差し入れ板を収納部に収納した状態を示す説明図および起立状態の戸当たり板に差し込んだ状態を示す断面図である。
【図１２】図１２の（Ａ）ないし（Ｃ）はそれぞれ、側溝受け部に配置される側溝受けカバーを示す平面図、側面図および正面図である。
【図１３】図１３の（Ａ）ないし（Ｃ）はそれぞれ、本発明の第２の実施例に係る防水扉の水密構造を示す説明図で、（Ａ）は戸当たり板の横倒し状態を示す平面図、（Ｂ）は戸当たり板の起立状態を示す平面図、（Ｃ）は防水扉を閉じて戸当たり板と密着した状態を示す正面図である。（実施例２）
【図１４】図１４は図１３の防水扉の水密構造の要部を示す断面図である。
【図１５】図１５は図１３の（Ｃ）のＸＶ−ＸＶ線断面図である。
【図１６】図１６は図１３の（Ｃ）のＸＶＩ−ＸＶＩ線断面図である。
【図１７】図１７の（Ａ）ないし（Ｄ）はそれぞれ、図１３の防水扉の水密構造の要部の斜視図を示す説明図である。
【図１８】図１８の（Ａ）、（Ｂ）はそれぞれ、本発明の第３の実施例に係る防水扉の水密構造を示す断面図および一部破断斜視図である。（実施例３）